(57)【特許請求の範囲】
【請求項１】
複数の車両の運行情報を管理する車両管理装置であって、
前記複数の車両の各々に搭載された無線通信装置から前記車両の運行情報として位置情報及び状態情報を受信するように構成されている無線通信部と、
受信した前記車両の運行情報を記憶するように構成されている車両情報データベースと、
前記車両の位置情報と、前記位置情報が示す所定の範囲の住所情報と、作業場所とを関連付けて記憶するように構成されている地図データベースと、
ユーザに前記車両の運行情報の表示方法を設定させるように構成されている操作部と、
設定された前記表示方法に基づいて、前記車両の現在の運行情報として、前記車両の現在の位置情報及び状態情報を表示するように構成されている表示部とを具備し、
前記状態情報は、前記車両が荷役開始のために待機している状態を示す第１の状態と、前記車両において荷役中である状態を示す第２の状態と、前記車両が走行中である状態を示す第３の状態と、前記車両のエンジンが停止中である状態を示す第４の状態のいずれかを示し、
前記表示部は、前記車両の現在の状態情報が前記第１の状態又は前記第２の状態を示す場合、前記位置情報として、前記位置情報に関連付けられて記憶されている前記住所情報及び前記作業場所を表示し、前記車両の現在の状態情報が前記第３の状態又は前記第４の状態を示す場合、前記位置情報として、前記位置情報に関連付けられて記憶されている前記住所情報を表示し、前記位置情報に関連付けられて記憶されている前記作業場所を表示しないように構成されていることを特徴とする車両管理装置。
【請求項２】
前記車両情報データベースは、前記状態情報と時間情報とを関連付けて記憶するように構成されており、
前記表示部は、前記車両の状態情報を、該状態情報に関連付けられて記憶されている前記時間情報に基づいてタイムチャート上に表示するように構成されており、
前記表示部は、前記タイムチャート上に表示された前記第１の状態又は前記第２の状態を示す前記状態情報にマウスポインタが移動された場合、該状態情報に関連付けられて記憶されている作業場所を表示するように構成されていることを特徴とする請求項１に記載の車両管理装置。
【請求項３】
前記車両情報データベースは、前記状態情報と時間情報とを関連付けて記憶するように構成されており、
前記表示部は、前記状態情報に関連付けられている時間情報に基づいて、所定期間において前記車両が前記第１の状態であった時間と、前記所定期間において前記車両が前記第２の状態であった時間とを別個に表示するように構成されていることを特徴とする請求項１に記載の車両管理装置。
【請求項４】
コンピュータに、複数の車両の運行情報を管理する車両管理機能を実現させるためのプログラムであって、
前記車両管理機能は、
前記複数の車両の各々に搭載された無線通信装置から前記車両の運行情報として位置情報及び状態情報を受信するように構成されている無線通信部と、
受信した前記車両の運行情報を記憶するように構成されている車両情報データベースと、
前記車両の位置情報と、前記位置情報が示す所定の範囲の住所情報と、作業場所とを関連付けて記憶するように構成されている地図データベースと、
ユーザに前記車両の運行情報の表示方法を設定させるように構成されている操作部と、
設定された前記表示方法に基づいて、前記車両の現在の運行情報として、前記車両の現在の位置情報及び状態情報を表示するように構成されている表示部とを具備し、
前記状態情報は、前記車両が荷役開始のために待機している状態を示す第１の状態と、前記車両において荷役中である状態を示す第２の状態と、前記車両が走行中である状態を示す第３の状態と、前記車両のエンジンが停止中である状態を示す第４の状態のいずれかを示し、
前記表示部は、前記車両の現在の状態情報が前記第１の状態又は前記第２の状態を示す場合、前記位置情報として、前記位置情報に関連付けられて記憶されている前記住所情報及び前記作業場所を表示し、前記車両の現在の状態情報が前記第３の状態又は前記第４の状態を示す場合、前記位置情報として、前記位置情報に関連付けられて記憶されている前記住所情報を表示し、前記位置情報に関連付けられて記憶されている前記作業場所を表示しないように構成されていることを特徴とするプログラム。
【請求項５】
前記車両情報データベースは、前記状態情報と時間情報とを関連付けて記憶するように構成されており、
前記表示部は、前記車両の状態情報を、該状態情報に関連付けられて記憶されている前記時間情報に基づいてタイムチャート上に表示するように構成されており、
前記表示部は、前記タイムチャート上に表示された前記第１の状態又は前記第２の状態を示す前記状態情報にマウスポインタが移動された場合、該状態情報に関連付けられて記憶されている作業場所を表示するように構成されていることを特徴とする請求項４に記載のプログラム。
【請求項６】
前記車両情報データベースは、前記状態情報と時間情報とを関連付けて記憶するように構成されており、
前記表示部は、前記状態情報に関連付けられている時間情報に基づいて、所定期間において前記車両が前記第１の状態であった時間と、前記所定期間において前記車両が前記第２の状態であった時間とを別個に表示するように構成されていることを特徴とする請求項４に記載のプログラム。
【発明の詳細な説明】
【０００１】
【発明の属する技術分野】
本発明は、無線通信装置を搭載した車両の運行情報を管理する車両管理システム等に関する。特に、本発明は、部品工場から組立工場への部品の物流において用いられる集荷車両及び納入車両の運行情報を管理する車両管理システム等に関する。
【０００２】
【従来の技術】
従来、全地球測位システムであるＧＰＳ（Ｇｒｏｂａｌ  Ｐｏｓｉｔｉｏｎｉｎｇ  Ｓｙｓｔｅｍ）装置や自律航法装置や携帯電話端末やＰＨＳ端末等の無線通信装置を車両に搭載し、該無線通信装置から受信した位置情報を表示するシステムが知られている。
【０００３】
【発明が解決しようとする課題】
しかしながら、従来のシステムは、あくまでも車両の位置情報を表示することを可能とするものであって、車両の稼動率を向上させるために必要な車両の運行情報を管理することができないという問題点があった。
【０００４】
そこで、本発明は、以上の点に鑑みてなされたもので、車両の稼動率を向上させるために必要な車両の運行情報を管理する車両管理システム等を提供することを目的とする。
【０００５】
【課題を解決するための手段】
本発明に係る車両管理システムは、無線通信装置を搭載した複数の車両と、前記無線通信装置から受信した前記車両の運行情報を管理する車両管理装置とによって構成されるものであって、前記車両管理装置が、前記車両の運行情報として位置情報及び状態情報を受信する運行情報受信手段と、受信した前記位置情報及び前記状態情報を記憶する運行情報記憶手段と、ユーザに前記運行情報の表示方法を設定させる表示方法設定手段と、設定された前記表示方法に基づいて前記複数の車両の各々について前記位置情報に対応する住所情報と前記状態情報とを表示する運行情報表示手段とを具備し、前記車両が、ユーザに前記状態情報を選択させる状態情報選択手段を具備し、前記無線通信装置が、選択された前記状態情報を送信することを特徴とするものである。
【０００６】
運行情報表示手段が、設定された表示方法に基づいて、複数の車両の各々について位置情報に対応する住所情報と状態情報とを表示するため、複数の車両の運行情報として複数の車両の住所情報及び状態情報をまとめて表示することができ、車両の稼動率の向上に寄与することができる。また、車両が、ユーザに状態情報を選択させる状態情報選択手段を具備するため、より正確な状態情報を表示することができる。
【０００７】
上述の車両管理システムにおいて、前記表示方法設定手段が、ユーザに前記複数の車両の中から一つの車両を選択させ、前記運行情報表示手段が、選択された前記車両の前記位置情報に対応する地図情報を表示し、表示された該地図情報に前記位置情報に基づいて該車両の画像情報を重ね合わせることが好ましい。
【０００８】
かかる場合、運行情報表示手段が、選択された車両の位置情報に対応する地図情報を表示するため、管理している複数の車両が互いに遠くに離れている場合であっても、ユーザにより選択された特定の車両の位置情報に応じた地図情報を表示することが可能となり、同時に複数の車両の運行情報を管理することが容易となり、車両の稼動率の向上に寄与することができる。
【０００９】
上述の車両管理システムにおいて、前記運行情報記憶手段が、前記状態情報を時間情報に関連付けて記憶し、前記運行情報表示手段が、前記複数の車両の各々について所定期間の前記状態情報を前記時間情報に基づいて時系列で表示することが好ましい。
【００１０】
かかる場合、運行情報表示手段が、複数の車両の各々について所定期間の状態情報を時間情報に基づいて時系列で表示するため、管理している車両の状態情報の履歴を管理することが容易となり、車両の稼動率の向上に寄与することができる。
【００１１】
上述の車両管理システムにおいて、前記状態情報が、前記車両が荷役開始のために待機している第１の状態と、前記車両において荷役中である第２の状態とのいずれか一つを示すことが好ましい。
【００１２】
かかる場合、物流の分野で用いられる集荷車両や納入車両について管理する必要がある状態情報を表示することができ、上述の集荷車両や納入車両の稼動率の向上に寄与することができる。
【００１３】
【発明の実施の形態】
（本発明の実施形態に係る車両管理システムの構成）
本発明の実施形態に係る車両管理システムの構成について図を参照しながら説明する。図１は、本実施形態に係る車両管理システムを示す図である。
【００１４】
本実施形態に係る車両管理システムは、部品工場２に集荷場所２-１から物流センター１の入庫場所１-１に部品を集荷する集荷車両１０ａや、物流センター１の出庫場所１-２から組立工場３の納入場所３-１に部品を納入する納入車両１０ｂの運行情報を管理するものである。
【００１５】
本実施形態において、部品工場２は、部品を製造する工場であって、組立工場３は、部品工場２から納入された部品を用いて製品（例えば車両）を組み立てる工場である。
【００１６】
ここで、「運行情報」には、例えば、車両１０の「位置情報」や「状態情報（「待機中（第１の状態）」「荷役中（第２の状態）」「走行中（第３の状態）」「エンジンＯＦＦ（第４の状態）」のいずれかを示すもの）」が含まれる。「待機中（第１の状態）」は、車両１０が部品の集荷や納入（荷役）開始のために待機している状態を示し、「荷役中（第２の状態）」は、車両１０において荷役中である状態を示し、「走行中（第３の状態）」は、車両１０が走行中である状態を示し、「エンジンＯＦＦ（第４の状態）」は、車両１０のエンジンが停止中である状態を示す。
【００１７】
本実施形態に係る車両管理システムは、集荷車両１０ａや納入車両１０ｂ等の車両１０に搭載された無線通信装置１０-１と、物流センター１に設けられている車両管理装置３０と、ＧＰＳ衛星４又は無線制御局５等の無線中継装置とによって構成されている。
【００１８】
本実施形態に係る車両管理装置３０は、図２に示すように、無線通信部３１と、表示情報生成部３２と、車両情報データベース（ＤＢ）３３と、地図データベース（ＤＢ）３４と、操作部３５と、表示部３６とを具備している。
【００１９】
本実施形態において、無線通信部３１が、車両１０の運行情報として位置情報及び状態情報を受信する運行情報受信手段を構成する。また、車両情報データベース（ＤＢ）３３が、受信した位置情報及び状態情報を記憶する運行情報記憶手段を構成する。また、操作部３５が、ユーザに運行情報の表示方法を設定させる表示方法設定手段を構成する。また、表示部３６が、設定された表示方法に基づいて複数の車両１０ａ，１０ｂの各々について位置情報に対応する住所情報及び状態情報を表示する運行情報表示手段を構成する。さらに、表示部３６は、位置情報を直接表示したり、該位置情報に対応する名称（作業場所）を表示することもできる。
【００２０】
無線通信部３１は、車両情報データベース３３に接続されており、ＧＰＳ衛星４又は無線制御局５等の無線中継装置との間で確立された無線リンクを介して無線通信を行うものである。すなわち、無線通信部３１は、上述の無線リンクを介して車両１０の運行情報として位置情報及び状態情報を受信する。また、無線通信部３１は、無線中継装置を介さずに、車両１０に搭載された無線通信装置１０-１から直接に車両１０の位置情報及び状態情報を受信してもよい。
【００２１】
また、無線通信部３１は、上述の無線リンクを介してＧＰＳ衛星４又は無線制御局５等の無線中継装置から受信した運行情報を、車両情報データベース３３に格納するものである。
【００２２】
無線通信部３１が受信する運行情報には、車両１０の位置情報や車両１０の状態情報等が含まれる。無線通信部３１は、ＧＰＳ装置や自律航法装置や携帯電話端末やＰＨＳ端末等の無線通信装置によって構成されている。
【００２３】
表示情報生成部３２は、車両情報データベース３３と地図データベース３４と操作部３５と表示部３６とに接続されており、車両情報データベース３３及び地図データベース３４に記憶されている運行情報と、操作部３５を介して設定されて表示方法とに基づいて、表示情報を生成し表示部３６に送信するものである。
【００２４】
車両情報データベース３３は、無線通信部３１と表示情報生成部３２とに接続されており、無線通信部３１により受信された運行情報を記憶するものである。また、車両情報データベース３３は、表示情報生成部３２からの要求に応じて、自身が記憶している運行情報を表示情報生成部３２に提供する。車両情報データベース３３は、ＨＤＤ等の記憶装置によって構成されている。
【００２５】
図３に、車両情報データベース３３が管理している車両情報テーブル＃１を示し、図４に、車両情報データベース３３が管理している車両情報テーブル＃２を示す。
【００２６】
車両情報テーブル＃１は、図３に示すように、「車両コード」「位置情報」「現在の状態」「荷役時間」「待機時間」を関連付けるレコードを管理するものである。このレコードは、所定のタイミングでＧＰＳ衛星４又は無線制御局５等の無線中継装置を介して無線通信装置１０-１から受信する運行情報に基づいて更新される。
【００２７】
「車両コード」は、無線通信装置１０-１を搭載している車両１０ごとにユニークに割り当てられた識別情報である（図３では、０００１乃至０００３）。
【００２８】
「位置情報」は、車両１０に搭載された無線通信装置１０-１から受信した車両１０の位置情報である。「位置情報」は、例えば、経度情報（図３では、Ａ１，Ｂ１，Ｃ１）と緯度情報（図３では、Ａ２，Ｂ２，Ｃ２）とによって構成される。
【００２９】
「現在の状態」は、車両１０に搭載された無線通信装置１０-１から受信した車両１０の現在の状態情報である。「状態情報」は、「待機中（第１の状態）」「荷役中（第２の状態）」「走行中（第３の状態）」「エンジンＯＦＦ（第４の状態）」のいずれか一つの状態を示すものである。
【００３０】
「荷役時間」は、車両１０の状態情報が「荷役中」であった時間の累計であり、「待機時間」は、車両１０の状態情報が「待機中」であった時間の累計である。「荷役時間」及び「待機時間」は、車両情報テーブル＃２内で管理されているレコードに基づいて算出される。すなわち、車両コードごとに「状態（車両情報管理テーブル＃２参照）」が「荷役中」（又は「待機中」）であるレコードを抽出し、当該レコードの「期間」を合計することによって、上述の「荷役時間」（又は「待機時間」）を算出する。
【００３１】
車両情報テーブル＃２は、図４に示すように、「車両コード」「状態」「時刻情報」「期間」を関連付けるレコードを管理するものである。このレコードは、各車両１０の状態情報が切り替わる際に生成される。
【００３２】
「車両コード」は、図３に示す「車両コード」と同一のものであり、無線通信装置１０-１を搭載している車両１０ごとにユニークに割り当てられた識別情報である（図４では、０００１乃至０００３）。
【００３３】
「状態」は、車両１０から受信した車両１０の状態情報である。「状態」は、図３に示す「現在の状態」と同様に、「待機中（第１の状態）」「荷役中（第２の状態）」「走行中（第３の状態）」「エンジンＯＦＦ（第４の状態）」のいずれか一つの状態を示すものである。
【００３４】
「時刻情報」は、車両１０が所定の「状態」であった時刻（例えば、２:００〜３:００）を示す時間情報であり、「期間」は、車両１０が所定の「状態」であった期間（例えば、１時間）を示すものである。
【００３５】
地図データベース３４は、表示情報生成部３２に接続されており、地図情報テーブルを管理するものである。また、地図データベース３４は、表示情報生成部３２からの要求に応じて、自身が記憶している情報を表示情報生成部３２に提供する。地図データベース３４は、ＨＤＤ等の記憶装置によって構成されている。
【００３６】
図５に、地図データベース３４が管理している地図情報テーブルを示す。地図情報テーブルは、図５に示すように、「位置情報」「住所」「画像情報」「名称」を関連付けるレコードを管理するものである。このレコードは、車両管理装置３０の起動時に予め登録されている。
【００３７】
「位置情報」は、図３に示す「位置情報」と同一のものであり、ＧＰＳ衛星４又は無線制御局５等の無線中継装置を介して無線通信装置１０-１から受信した車両１０の位置情報である。「位置情報」は、例えば、経度情報（図５では、Ａ１，Ｂ１，Ｃ１，Ｄ１）と緯度情報（図５では、Ａ２，Ｂ２，Ｃ２，Ｄ２）とによって構成される。
【００３８】
「住所」は、上述の「位置情報」が示す所定の範囲の住所を示す住所情報である。図５では、「Ａ１（経度）-Ａ２（緯度）」が示す所定の範囲の「住所」は「○○県○○市○○」であり、「Ｂ１（経度）-Ｂ２（緯度）」が示す所定の範囲の「住所」は「××県××市××」であり、「Ｃ１（経度）-Ｃ２（緯度）」が示す所定の範囲の「住所」は「△△県△△市△△」であり、「Ｄ１（経度）-Ｄ２（緯度）」が示す所定の範囲の「住所」は「△△県△△市○○」である。
【００３９】
「画像情報」は、上述の「位置情報」が示す所定の範囲について表示部２６のマップ６１３上で表示される地図情報を有する画像ファイル名（図５では、画像ファイル＃１乃至＃５）を示すものである。この画像情報は、所定の範囲内に存在する建物（Ａ社やＢ社等）や陸地や海や道路を示すアイコンやマーク等によって構成される。
【００４０】
「名称」は、上述の「位置情報」が示す所定の範囲の名称を示すものである。図５では、「Ｃ１（経度）-Ｃ２（緯度）」が示す所定の範囲に「Ａ社」という名称が関連付けられており、「Ｄ１（経度）-Ｄ２（緯度）」が示す所定の範囲に「Ｂ社」という名称が関連付けられている。
【００４１】
操作部３５は、表示情報生成部３２に接続されており、ユーザに表示部３６に表示された画面に従って、運行情報の表示方法を設定させるものである。操作部３５は、ユーザによって設定された表示方法を表示情報生成部３２に送信する。操作部３５は、例えば、キーボードやマウス等によって構成されている。
【００４２】
表示部３６は、表示情報生成部３２に接続されており、表示情報生成部３２から送信された表示情報を表示するものである。表示部３６は、ディスプレイ等によって構成されている。
【００４３】
図６に、表示部３６によって表示される画面の一例を示す。図６では、画面上部に、車両コード「０００１」乃至「０００３」の３つの車両１０の運行情報を表示している。また、図６では、画面下部のマップ６１３上に、ユーザにより選択された車両１０の位置情報に対応する地図情報を表示し、表示された該地図情報に車両１０の位置情報に基づいて該車両１０の画像情報（アイコンやマーク等）を重ね合わせている。
【００４４】
６０１は、車両情報データベース３３内の車両情報テーブル＃１及び＃２に登録されている「車両コード」を表示する部分である。
【００４５】
６０２は、車両情報データベース３３内の車両情報テーブル＃１に登録されている「車両コード」に対応する「現在の状態（状態情報）」を表示する部分である。図６では、車両コード「０００１」の車両１０は「エンジンＯＦＦ（第４の状態）」であり、車両コード「０００２」の車両１０は「走行中（第３の状態）」であり、車両コード「０００３」の車両１０は「荷役中（第２の状態）」である。
【００４６】
６０３は、状態情報が「待機中（第１の状態）」または「荷役中（第２の状態）」を示す車両１０の「位置情報」に対応する、地図データベース３４内の地図情報テーブルに登録されている「名称（以下、作業場所）」を表示する部分である。図６では、車両コード「０００３」の車両１０の「作業場所」は「Ａ社」である。
【００４７】
車両１０の状態情報が「走行中（第３の状態）」又は「エンジンＯＦＦ（第４の状態）」を示す場合、及び、地図データベース３４内の地図情報テーブルに「待機中（第１の状態）」又は「荷役中（第２の状態）」である車両１０の「位置情報」に関連付けられた「名称（作業場所）」が登録されていない場合、６０３に「作業場所」は表示されない。
【００４８】
６０４は、車両１０の現在の「位置情報」に対応する、地図データベース３４内の地図情報テーブルに登録されている「住所」を表示する部分である。図６では、車両コード「０００１」の車両１０の「住所」は「○○県○○市○○」であり、車両コード「０００２」の車両１０の「住所」は「××県××市××」であり、車両コード「０００３」の車両１０の「住所」は「△△県△△市△△」である。
【００４９】
６０５は、車両情報データベース３３内の車両情報テーブル＃１に登録されている、車両１０の状態情報が「荷役中（第２の状態）」であった時間の累計（すなわち「荷役時間」）を表示する部分であり、６０６は、車両情報データベース３３内の車両情報テーブル＃１に登録されている、車両１０の状態情報が「待機中（第１の状態）」であった時間の累計（すなわち「待機時間」）を表示する部分である。図６では、車両コード「０００１」の車両１０の「荷役時間」は「１時間１０分」で「待機時間」は「１０分」であり、車両コード「０００２」の車両１０の「荷役時間」及び「待機時間」は共に「０分」であり、車両コード「０００３」の車両１０の「荷役時間」は「２時間２３分」で「待機時間」は「３０分」である。
【００５０】
６０７は、所定期間（例えば、１日）の車両１０の運行情報（状態情報）を時系列に表示するタイムチャートである。図６では、車両コード「０００１」のタイムチャートにおいて、「５:５０〜６:００」の間の状態情報として「待機中（第１の状態）」を示す模様（Ｃ）が表示され、「６:００〜７:１０」の間の状態情報として「荷役中（第２の状態）」を示す模様（Ａ）が表示されている。また、車両コード「０００３」のタイムチャートにおいて、「２:００〜３:００」の間の状態情報として「荷役中（第２の状態）」を示す模様（Ａ）が表示され、「９:３０〜１０:３０」の間の状態情報として「エンジンＯＦＦ（第４の状態）」を示す模様（Ｂ）が表示され、「１０:３０〜１１:００」の間の状態情報として「待機中（第１の状態）」を示す模様（Ｃ）が表示され、「１１:００〜１２:２３」の間の状態情報として「荷役中（第２の状態）」を示す模様（Ａ）が表示されている。
【００５１】
タイムチャート６０７上において状態情報（「待機中（第１の状態）」「荷役中（第２の状態）」「エンジンＯＦＦ（第４の状態）」）を示す模様（Ａ〜Ｃ）は、６０８に定義されている。また、６１４は、タイムチャート▲７▼上で現在時刻を示すラインである。
【００５２】
６０９は、複数の車両１０（車両コード「０００１」乃至「０００３」）の中から、ユーザにマップ６１３上に表示する一つの車両１０（図６では、車両コード「０００３」が選択されている）を選択させるための部分である。６１０は、ユーザに画面表示内容を最新のものに更新する更新間隔を選択させるための部分である。６１１は、次回の画面表示内容の更新までのカウンタの役割を果たす部分である。
【００５３】
６１２は、マウスポインタをタイムチャート６０７に表示された「待機中（第１の状態）」「荷役中（第２の状態）」「エンジンＯＦＦ（第４の状態）」の模様部分（Ａ〜Ｃ）に持っていった場合に、車両情報データベース３３内の車両情報テーブル＃２に登録されている、該模様部分（Ａ〜Ｃ）に関連付けられた「名称（作業場所）」を表示する部分である。
【００５４】
６１３は、地図データベース３４内の地図情報テーブルに登録されている、６０９で選択された「車両コード」の車両１０に対応する所定の範囲の「画像情報（地図情報）」を表示し、表示された「画像情報（地図情報）」に当該車両１０の位置情報に基づいて当該車両１０の画像情報（アイコン）を重ね合わせて表示する部分である。図６では、「車両コード」が「０００３」の車両１０に対応する所定の範囲の画像情報（地図情報）及び車両１０の画像情報（アイコン）が表示されている。
【００５５】
無線通信装置１０-１は、ＧＰＳ衛星４又は無線制御局５等の無線中継装置に、所定のタイミングで、車両１０の位置情報を送信するものである。無線通信装置１０-１は、ＧＰＳ装置や自律航法装置等により構成される車両用ナビゲーション装置（カーナビゲーション装置）や携帯電話端末やＰＨＳ端末等の無線通信装置によって構成されている。
【００５６】
また、無線通信装置１０-１は、車両１０の位置情報と共に、車両１０の状態情報（「待機中（第１の状態）」「荷役中（第２の状態）」「走行中（第３の状態）」「エンジンＯＦＦ（第４の状態）」）を送信することができる。また、無線通信装置１０-１は、ユーザに、車両１０の状態情報を選択させる（特に「待機中（第１の状態）」又は「荷役中（第２の状態）」であることを選択させる）ための状態情報選択手段（例えば、ボタンやスイッチ等）を具備する。
【００５７】
ＧＰＳ衛星４又は無線制御局５等の無線中継装置は、無線通信装置１０-１から送信された車両１０の位置情報及び状態を、無線リンクを介して、物流センター１に設けられた車両管理装置３０に転送するものである。無線制御局５には、無線基地局や交換機等が含まれる。
【００５８】
本実施形態では、ＧＰＳ衛星４及び無線制御局５を採用しているが、無線リンクを介して車両管理装置３０に車両１０の位置情報及び状態情報を送信することが可能であるものであれば、本発明は、これらに限定されるものでなく、他の装置を用いても良い。
【００５９】
（本実施形態に係る車両管理装置の動作）
上記構成を有する車両管理システムの動作について、図を参照にして説明する。図７は、本実施形態に係る車両管理装置の動作を示すフローチャート図である。
【００６０】
図７に示すように、ステップ１０１において、車両管理装置３０の表示情報生成部３２が、車両情報データベース３３内の車両情報テーブル＃１及び＃２に登録されているレコードと、地図データベース３４内の地図情報テーブルに登録されているレコードとに基づいて、図６の画面上に表示するための表示情報を生成し表示部３６に送信する。
【００６１】
表示情報は、「車両コード（１）」と、「現在の状態（２）」と、「名称（３）」と、「住所（４）」と、「荷役時間（５）」と、「待機時間（６）」と、「タイムチャート情報（７）」と、「マップ情報（１３）」とによって構成される。
【００６２】
「車両コード（１）」は、車両情報テーブル＃１内に登録されている「車両コード」である。「現在の状態（２）」は、車両情報テーブル＃１内で「車両コード」に関連付けられている「現在の状態」である。「名称（３）」及び「住所（４）」は、車両情報テーブル＃１内で「車両コード」に関連付けられている「位置情報」に地図情報テーブル内で対応する「名称」及び「住所」である。「荷役時間（５）」及び「待機時間（６）」は、車両情報テーブル＃１内で「車両コード」に関連付けられている「荷役時間」及び「待機時間」である。
【００６３】
「タイムチャート情報（７）」は、車両情報テーブル＃２に登録されている「車両コード」ごとのレコードに基づいて生成される。また、「マップ情報（１３）」は、「車両コード」に関連付けられた「位置情報」に対応する所定の範囲内の「画像情報（地図情報）」に、６０９で選択された「車両コード」の車両１０の画像情報（アイコン）を上述の「位置情報」に基づいて重ね合わせることによって生成される。
【００６４】
ステップ１０２において、表示部３６が、受信した表示情報を表示する。具体的には、表示部３６は、「車両コード（１）」を６０１に表示し、「現在の状態（２）」を６０２に表示し、「名称（３）」を６０３に表示し、「住所（４）」を６０４に表示し、「荷役時間（５）」を６０５に表示し、「待機時間（６）」を６０６に表示し、「タイムチャート情報（７）」を６０７に表示し、「マップ情報（１３）」を６１３に表示する。
【００６５】
ステップ１０３において、操作部３５を介してユーザにより表示方法（例えば６０９で選択される車両コード等）が変更されたか否かを監視する。変更された場合、ステップ１０１に戻り、変更されなかった場合、ステップ１０４に進む。
【００６６】
ステップ１０４において、６０１で選択された更新間隔が経過したか否かを監視する。経過した場合、ステップ１０１に戻り、経過していない場合、ステップ１０３に戻る。
【００６７】
（変更例）
本実施形態では、部品工場２に集荷場所２-１から物流センター１の入庫場所１-１に部品を集荷する集荷車両１０ａや、物流センター１の出庫場所１-２から組立工場３の納入場所３-１に部品を納入する納入車両１０ｂの運行情報を管理する場合について説明したが、本発明は、これに限定されるものでなく、無線通信装置を搭載しており状態情報が変化する車両（例えば、タクシーやバスのような商用運送車両等）の運行情報の管理にも適用することができる。
【００６８】
（本実施形態に係る車両管理システムの作用・効果）
本実施形態に係る車両管理システムによれば、表示部３６が、操作部３５を介して設定された表示方法に基づいて、複数の車両１０（車両コード「０００１」乃至「０００３」の車両）の各々について位置情報に対応する住所情報及び状態情報（第１の状態乃至第４の状態）を表示するため、複数の車両１０の運行情報として複数の車両１０（車両コード「０００１」乃至「０００３」の車両）の位置情報に対応する住所情報及び状態情報をまとめて表示することができ、車両１０の稼動率の向上に寄与することができる。また、車両１０が、ユーザに状態情報を選択させる状態情報選択手段を具備するため、より正確な状態情報を表示することができる。
【００６９】
また、本実施形態に係る車両管理システムによれば、表示部３６が、操作部３５を介して選択された車両１０（車両コード「０００３」の車両）の位置情報に対応する地図情報を表示するため、管理している複数の車両１０（車両コード「０００１」乃至「０００３」の車両）が互いに遠くに離れている場合であっても、ユーザにより選択された特定の車両１０（車両コード「０００３」の車両）の位置情報に応じた地図情報を表示することが可能となり、同時に複数の車両１０（車両コード「０００１」乃至「０００３」の車両）の運行情報を管理することが容易となり、車両１０の稼動率の向上に寄与することができる。
【００７０】
また、本実施形態に係る車両管理システムによれば、表示部３６が、複数の車両１０（車両コード「０００１」乃至「０００３」の車両）の各々について所定期間（１日）の状態情報を時間情報に基づいて時系列で表示するため、管理している車両１０（車両コード「０００１」乃至「０００３」の車両）の状態情報の履歴を管理することが容易となり、車両１０の稼動率の向上に寄与することができる。
【００７１】
また、本実施形態に係る車両管理システムによれば、物流の分野で用いられる集荷車両１０ａや納入車両１０ｂについて管理する必要がある状態情報（「待機中（第１の状態）」「荷役中（第２の状態）」「走行中（第３の状態）」「エンジンＯＦＦ（第４の状態）」）を表示することができ、上述の集荷車両１０ａや納入車両１０ｂの稼動率の向上に寄与することができる。
【００７２】
【発明の効果】
以上説明したように本発明によれば、車両の稼動率を向上させるために必要な車両の運行情報を管理する車両管理システム等を提供することができる。
【図面の簡単な説明】
【図１】本発明の一実施形態における車両管理システムを示す図である。
【図２】本発明の一実施形態に係る車両管理装置の機能ブロック図である。
【図３】本発明の一実施形態に係る車両管理装置の車両情報データベースが管理する車両情報テーブル＃１の構成を示す図である。
【図４】本発明の一実施形態に係る車両管理装置の車両情報データベースが管理する車両情報テーブル＃２の構成を示す図である。
【図５】本発明の一実施形態に係る車両管理装置の地図データベースが管理する地図情報テーブルの構成を示す図である。
【図６】本発明の一実施形態に係る車両管理装置の表示部が表示する画面を示す図である。
【図７】本発明の一実施形態に係る車両管理装置の動作を示すフローチャート図である。
【符号の説明】
１…物流センター
１-１…入庫場所
１-２…出庫場所
２…部品工場
２-１…集荷場所
３…組立工場
３-１…納入場所
４…ＧＰＳ衛星
５…無線制御局
１０ａ…集荷車両
１０ｂ…納入車両
１０-１…無線通信装置
３０…車両管理装置
３１…無線通信部
３２…表示情報生成部
３３…車両情報データベース（ＤＢ）
３４…地図データベース（ＤＢ）
３５…操作部
３６…表示部
【図１】
0003798962.tif 000002
【図２】
0003798962.tif 000003
【図３】
0003798962.tif 000004
【図４】
0003798962.tif 000005
【図５】
0003798962.tif 000006
【図６】
0003798962.tif 000007
【図７】
0003798962.tif 000008